(57)【要約】      （修正有）【課題】九星による運勢や吉方位を簡易且つ迅速に確認可能とする易占い付手帳又は易占い付冊本を提供する。【解決手段】左右見開きの易占い付手帳１であって、左右の各面において縦方向に九星の運勢サイクルに従って配列された９日分のスケジュール欄２を有しており、各スケジュール欄には、日付と、当該日付における九星に従った運勢を示す運勢表記部３とが示されており、運勢表記部は、縦３マス及び横３マスの合計９マスで構成されており、９マスのそれぞれは、特定の運勢を意味しており、９マスに運命数を表記することで、上記日付における九星の運勢を示している。【選択図】図１
0003202311.tif 000002
【実用新案登録請求の範囲】
【請求項１】
左右見開きの易占い付手帳であって、
左右の各面において、縦方向に九星の運勢サイクルに従って配列された９日分のスケジュール欄を有しており、
上記各スケジュール欄には、日付と、当該日付における九星に従った運勢を示す運勢表記部とが示されており、
上記運勢表記部は、縦３マス及び横３マスの合計９マスで構成されており、９マスのそれぞれは、特定の運勢を意味しており、上記９マスに運命数を表記することで、上記日付における九星の運勢を示した
易占い付手帳。
【請求項２】
上記左右の各面において、上記配列は、上記スケジュール欄が、九星の運勢サイクルの同じ運勢が左右の各面で同じ順番となるようにされている
請求項１に記載の易占い付手帳。
【請求項３】
月単位のカレンダーを示す日付が付されたカレンダー部と、
上記カレンダー部の各日付と対応付けられて表記されるのもので、当該日付における九星に従った運勢を示す運勢表記部と、を有し、
上記運勢表記部は、縦３マス、横３マスの合計９マスで構成されており、９マスのそれぞれは、特定の運勢を意味しており、上記９マスに運命数を表記することで、上記日付における九星の運勢を示し、
上記運勢表記部の各マスには、九星のそれぞれについて、吉方位を示す色が付されており、当該色により上記日付における九星の吉方位を示した
易占い付手帳。
【請求項４】
上記運勢表記部の各マスの少なくとも一部に、複数の色を付した
請求項３に記載の易占い付手帳。
【請求項５】
上記運勢表記部の各マスのうち、上段の３つは、左から順に東南、南、西南をそれぞれ意味し、中段の３つは、左から順に東、方位中心、西をそれぞれ意味し、下段の３つは左から順に東北、北、西北をそれぞれ意味する
請求項３又は請求項４に記載の易占い付手帳。
【請求項６】
左右見開きの易占い付冊本であって、
左右の各面において、縦方向に九星の運勢サイクルに従って配列された９日分のスケジュール欄を有しており、
上記各スケジュール欄には、日付と、当該日付における九星に従った運勢を示す運勢表記部とが示されており、
上記運勢表記部は、縦３マス及び横３マスの合計９マスで構成されており、９マスのそれぞれは、特定の運勢を意味しており、上記９マスに運命数を表記することで、上記日付における九星の運勢を示した
易占い付冊本。
【請求項７】
上記左右の各面において、上記配列は、上記スケジュール欄が、九星の運勢サイクルの同じ運勢が左右の各面で同じ順番となるようにされている
請求項６に記載の易占い付冊本。
【請求項８】
月単位のカレンダーを示す日付が付されたカレンダー部と、
上記カレンダー部の各日付と対応付けられて表記されるのもので、当該日付における九星に従った運勢を示す運勢表記部と、を有し、
上記運勢表記部は、縦３マス、横３マスの合計９マスで構成されており、９マスのそれぞれは、特定の運勢を意味しており、上記９マスに運命数を表記することで、上記日付における九星の運勢を示し、
上記運勢表記部の各マスには、九星のそれぞれについて、吉方位を示す色が付されており、当該色により上記日付における九星の吉方位を示した
易占い付冊本。
【請求項９】
上記運勢表記部の各マスの少なくとも一部に、複数の色を付した
請求項８に記載の易占い付冊本。
【請求項１０】
上記運勢表記部の各マスのうち、上段の３つは、左から順に東南、南、西南をそれぞれ意味し、中段の３つは、左から順に東、方位中心、西をそれぞれ意味し、下段の３つは左から順に東北、北、西北をそれぞれ意味する
請求項８又は請求項９に記載の易占い付冊本。
【考案の詳細な説明】
【技術分野】
【０００１】
本考案は、九星による運勢サイクルや吉方位を簡易に確認することができる易占い付き手帳又は易占い付冊本に関する。
【背景技術】
【０００２】
今日、占いは、人々の生活にとって身近なものとなっており、日々の活動を占いにより決めたり、旅行先等を吉方位となるように決めたりすることが日常的になされている。占いには、種々のものがあるが、その一つに九星がある。ここで、九星とは、古代中国に発する占星術の一つであり、一白、二黒、三碧、四緑、五黄、六白、七赤、八白、九紫を意味するが、五行と関連付けて一白水星、二黒土星、三碧木星、四緑木星、五黄土星、六白金星、七赤金星、八白土星に分類される。
【０００３】
このように、占いは日々の活動と密接に完成するものであることから、日々の生活の中で簡易に確認したいという要求がある。そして、その要求を満たすために、手帳に易占いに関する表記をすることも一般的になされている。
【０００４】
この種の技術として、新暦に基く各暦日表示欄に、旧暦に基くその暦日が属する暦月の干支の数字と、同その暦日の干支の数字とを併記し、この手帖の各暦日表示欄の易学上の数字を基に手帳所有者固有のその日時における運勢が的確に割り出せるようにした易占い付手帳又は易占い付冊本がある（例えば、特許文献１参照）。
【先行技術文献】
【特許文献】
【０００５】
【特許文献１】特開平７−１９５８７２号公報
【考案の概要】
【考案が解決しようとする課題】
【０００６】
しかしながら、特許文献１に開示の手帖又は冊本は、干支に基づく易占いの表示をしたものにすぎず、九星については、何ら開示されていない。
【０００７】
九星は、９日周期で運勢がめぐるという特質を有しているが、その運勢サイクルの関係が分かるように表記を工夫した手帳又は冊本は存在しない。さらに、九星では、運気のいい吉方位が、相性のよい九星の置かれた方位により定まるが、相性のよい九星は複数存在することから、吉方位を判断するのには熟練を要していた。従って、九星の運勢サイクルの循環や吉方位の選定を一般の人でも簡易に行えることが望まれていた。
【０００８】
本考案は、このような課題に鑑みてなされたものであり、九星による運勢や吉方位を簡易且つ迅速に確認可能とすることを目的とする。
【課題を解決するための手段】
【０００９】
上記課題を解決するため、本考案の第１の態様に係る易占い付手帳は、左右見開きの易占い付手帳であって、左右の各面において、縦方向に九星の運勢サイクルに従って配列された９日分のスケジュール欄を有しており、上記各スケジュール欄には、日付と、当該日付における九星に従った運勢を示す運勢表記部とが示されており、上記運勢表記部は、縦３マス及び横３マスの合計９マスで構成されており、９マスのそれぞれは、特定の運勢を意味しており、上記９マスに運命数を表記することで、上記日付における九星の運勢を示している。
【００１０】
ここで、上記左右の各面において、上記配列は、上記スケジュール欄が、九星の運勢サイクルの同じ運勢が左右の各面で同じ順番となるようにされていてよい。
【００１１】
本考案の第２の態様に係る易占い付手帳は、月単位のカレンダーを示す日付が付されたカレンダー部と、上記カレンダー部の各日付と対応付けられて表記されるのもので、当該日付における九星に従った運勢を示す運勢表記部と、を有し、上記運勢表記部は、縦３マス、横３マスの合計９マスで構成されており、９マスのそれぞれは、特定の運勢を意味しており、上記９マスに運命数を表記することで、上記日付における九星の運勢を示し、上記運勢表記部の各マスには、九星のそれぞれについて吉方位を示す色が付されており、当該色により上記日付における九星の吉方位を示している。
【００１２】
ここで、上記運勢表記部の各マスの少なくとも一部に複数の色を付してよい。上記運勢表記部の各マスのうち、上段の３つは、左から順に東南、南、西南をそれぞれ意味し、中段の３つは、左から順に東、方位中心、西をそれぞれ意味し、下段の３つは左から順に東北、北、西北をそれぞれ意味してよい。
【００１３】
本考案の第３の態様に係る易占い付冊本は、左右見開きの易占い付冊本であって、左右の各面において、縦方向に九星の運勢サイクルに従って配列された９日分のスケジュール欄を有しており、上記各スケジュール欄には、日付と、当該日付における九星に従った運勢を示す運勢表記部とが示されており、上記運勢表記部は、縦３マス及び横３マスの合計９マスで構成されており、９マスのそれぞれは、特定の運勢を意味しており、上記９マスに運命数を表記することで、上記日付における九星の運勢を示している。
【００１４】
ここで、上記左右の各面において、上記配列は、上記スケジュール欄が、九星の運勢サイクルの同じ運勢が左右の各面で同じ順番となるようにされていてよい。
【００１５】
本考案の第４の態様に係る易占い付冊本は、月単位のカレンダーを示す日付が付されたカレンダー部と、上記カレンダー部の各日付と対応付けられて表記されるのもので、当該日付における九星に従った運勢を示す運勢表記部と、を有し、上記運勢表記部は、縦３マス、横３マスの合計９マスで構成されており、９マスのそれぞれは、特定の運勢を意味しており、上記９マスに運命数を表記することで、上記日付における九星の運勢を示し、上記運勢表記部の各マスには、九星のそれぞれについて、吉方位を示す色が付されており、当該色により上記日付における九星の吉方位を示している。
【００１６】
ここで、上記運勢表記部の各マスの少なくとも一部に複数の色を付してよい。上記運勢表記部の各マスのうち、上段の３つは、左から順に東南、南、西南をそれぞれ意味し、中段の３つは、左から順に東、方位中心、西をそれぞれ意味し、下段の３つは左から順に東北、北、西北をそれぞれ意味してよい。
【考案の効果】
【００１７】
本考案によれば、九星による運勢や吉方位を簡易且つ迅速に確認可能とする易占い付手帳又は易占い付冊本を提供することができる。
【図面の簡単な説明】
【００１８】
【図１】本考案の第１実施形態に係る易占い付手帳の構成図である。
【図２】図１の一部拡大図である。
【図３】９マスの運勢表記部から運勢を読み取る方法を説明する図である。
【図４】運勢のめぐりについて説明する図である。
【図５】本考案の第２実施形態に係る易占い付手帳の構成図である。
【図６】（ａ）及び（ｂ）は、図５の一部拡大図である。
【図７】（ａ）は方位盤の配置を示す図、（ｂ）は方位の効果を説明する図である。
【図８】九星別方位の見方の基本を説明する図である。
【考案を実施するための形態】
【００１９】
以下、図面を参照しつつ本考案の実施形態について説明する。
【００２０】
＜第１実施形態＞
【００２１】
図１には本考案の第１実施形態に係る易占い付手帳の構成を示し、図２には図１の一部拡大図を示し、説明する。ここでは、易占い付手帳を例示して説明するが、易占い付冊本についても同様の構成を備える。
【００２２】
図１に示されるように、易占い手帳１は、左右見開きになっている。そして、左右の各面１ａ，１ｂには、縦方向に九星の運勢サイクルに従って配列された９日分のスケジュール欄２が設けられている。例えば、左面１ａでは、スケジュール欄２は、１２月１４日に係る第１欄２ａ、１２月１５日に係る第２欄２ｂ、１２月１６日に係る第３欄２ｃ、１２月１７日に係る第４欄２ｄ、１２月１８日に係る第５欄２ｅ、１２月１９日に係る第６欄２ｆ、１２月２０日に係る第７欄２ｇ、１２月２１日に係る第８欄２ｈ、及び１２月２２日に係る第９欄２ｉで構成されている。各欄２ａから２ｉには、それぞれ日付と曜日が付されており、更にユーザのスケジュールを書き込むための時間軸が併記された書込み領域も設けられている。そして、各欄２ａから２ｉには、日付の下に、当該日付における九星に従った運勢を表記した運勢表記部３が設けられている。
【００２３】
図２に示されるように、運勢表記部３は、縦３マス及び横３マスの合計９マスで構成されており、９マスのそれぞれは、特定の運勢を意味しており、９マスに運命数を表記することで、各日付における九星の運勢が確認可能となっている。この９マスのそれぞれのマス３ａから３ｉは、九星では図３に示されるような運気を意味している。
【００２４】
すなわち、マス３ｄに自己の運命数が表記されているときは、自己の運勢が「順調・実績運」であることを意味する。マス３ｉに自己の運命数が表記されているときは、自己の運勢が「頂上・名誉運」であることを意味する。マス３ｂに自己の運命数が表記されているときは、自己の運勢が「堅実・準備運」であることを意味する。マス３ｃに自己の運命数が表記されているときは、自己の運勢が「自立・発展運」であることを意味する。マス３ｅに自己の運命数が表記されているときは、自己の運勢が「自重・思慮運」であることを意味する。マス３ｇに自己の運命数が表記されているときは、自己の運勢が「社交・和楽運」であることを意味する。マス３ｈに自己の運命数が表記されているときは、自己の運勢が「革新・変化運」であることを意味する。マス３ａに自己の運命数が表記されているときは、自己の運勢が「蓄積・奉仕運」であることを意味する。そして、マス３ｆに自己の運命数が表記されているときは、自己の運勢が「活気・実力運」であることを意味する。従って、各日付の運勢表記部の中で自己の運命数を探すことで、その日の運勢を簡易且つ迅速に確認することができる。
【００２５】
このような九星の運勢は、図４に示されるサイクルで循環する。図４の中に示したアルファベットＡ〜Ｉは、図３の中に示したアルファベットＡ〜Ｉに、それぞれ対応しているが、このサイクルに従えば、マス３ａからマス３ｂ、マス３ｃ、マス３ｄ、マス３ｅ、マス３ｆ、マス３ｇ、マス３ｈ、マスｉへと順に自己の運命数が表記されるマスが移り変わることになる。つまり、スケジュール欄２の第１欄２ａから２ｉで、一巡する。なお、図１では、この循環の始期を示すために、境界線４を表記している。
【００２６】
そして、易占い付手帳１では、左右の各面１ａ，１ｂにおいて、スケジュール欄２が九星の運勢サイクルの同じ運勢が左右の各面で同じ順番となるように配列されている。右面のスケジュール欄１ｂは、第１０欄２ｊから第１８欄２ｒで構成されており、左面の第１欄２ａは第１０欄２ｊと左右の中心線を基準に線対称となる位置に設けられ、第２欄２ｂは第１１欄ｋと左右の中心線を基準に線対称となる位置に設けられる。以下、同様に、第３欄２ｃと第１２欄２ｌ、第４欄２ｄと第１３欄２ｍ、第５欄２ｅと第１４欄２ｎ、第６欄２ｆと第１５欄２ｏ、第７欄２ｇと第１６欄２ｐ、第８欄２ｈと第１７欄２ｑ、第９欄２ｉと第１８欄２ｒ、がそれぞれ線対称の関係となるように配置される。従って、ユーザは、運勢の循環サイクルで、同じ運勢にある日を横並びで簡易に確認できる。
【００２７】
以上説明したように、本考案の第１実施形態によれば、運勢表記部において自己の運命数が表記されているマスがどこかを確認することで、その日の自己の運勢を迅速かつ確実に確認することができるので、ユーザはその運勢に従った行動をとることができるようになる。しかも、スケジュール欄は、縦方向に９段で構成されているので、左右の面それぞれで、運勢サイクルが一巡することになる。更には、同じ運勢になる日を横並びで簡易且つ迅速に確認することができるので、ユーザは、旅行や仕事、イベントなど、自己の運勢にあった計画を立てやすくなる。
【００２８】
＜第２実施形態＞
【００２９】
図５には本考案の第２実施形態に係る易占い付手帳の構成を示し、図６（ａ）及び図６（ｂ）には、図５の一部拡大図を示し、説明する。ここでは、易占い付手帳を例示して説明するが、易占い付冊本についても同様の構成を備える。
【００３０】
同図に示されるように、易占い付手帳１０は、月単位のカレンダーを示す日付が示されたカレンター部１１を備えている。カレンダー部１１は、月単位で、横方向に曜日順、縦方向に第１週から第４週（或は第５週）となるように、日付ごとに区分けされた領域１３が配列されている。区分けされた各日付の領域１２には、各日付における九星に従った運勢を示す運勢表記部１２が設けられている。
【００３１】
運勢表記部１２は、縦３マス、横３マスの合計９マスで構成されており、９マスのそれぞれは、特定の運勢を意味しており、９マスに運命数を表記することで、上記日付における九星の運勢を確認可能としている。さらに、運勢表記部１２の各マスには、九星のそれぞれについて、吉方位を示す色が付されており、当該色により各日付における九星の吉方位を確認可能としている。運勢表記部１２において、各マスに複数の運気のよい九星が割り当てられるときは、当該マスには複数の色（この例では２色）を付する。更には、運命数の数字自体に色を付して１つのマスで３色とすることもできる。
【００３２】
図６（ａ）に示される例では、例えば、自分の九星の色が茶色であれば、９つのマスのうち、背景に茶色の着色がなされているマス１２ａ，１２ｃと、数字が茶色に着色されているマス１２ｄ，１２ｉが吉方位であると確認することができる。また、図６（ｂ）に示されるように、自分の運命数が表記されたマスの示す方位と反対方位は凶方位と確認することができ、破れ１３の掛かった方位は契約や人間関係に不向きの半吉方位を確認することができる。
【００３３】
そして、図７（ａ）に示されるように、運勢表記部１２の各マス１２ａ乃至１２ｉのうち、上段の３つ（マス１２ａ，１２ｂ，１２ｃ）は、左から順に東南、南、西南をそれぞれ意味し、中段の３つ（マス１２ｄ，１３ｅ，１２ｆ）は、左から順に東、方位中心、西をそれぞれ意味し、下段の３つ（１２ｇ，１２ｈ，１２ｉ）は左から順に東北、北、西北をそれぞれ意味する。それぞれの方位の効果は、図７（ｂ）に示される通りである。
【００３４】
ここで、図８を参照して、九星別方位の見方の基本を簡単に説明すると、九星のそれぞれは、相性のよい九星が定まっており、その相性のよい九星の運命数が位置するマスの意味する方位が吉方位となる。例えば、一白水星の人であれば、三碧木星（運命数３）、四緑木星（運命数４）、六白金星（運命数６）、七赤金星（運命数７）の運命数が位置するマスの意味する方位が吉方位となる。運勢表記部１２では、この相性のよい九星の運命数が位置するマス、又は運命数に、その九星の吉方位であることを示す色を付する。
【００３５】
以上説明したように、本考案の第２実施形態によれば、運勢表記部において自己の運命数が表記されているマスがどこかを確認することで、その日の自己の運勢を迅速かつ確実に確認することができるので、ユーザはその運勢に従った行動をとることができるようになる。また、運勢表記部に示された色により、自己の吉方位を簡易に確認することができるので、旅行や転居など、適切な日を簡易に選ぶことが可能となる。
【００３６】
以上、本考案の一実施形態について説明したが、本考案はこれに限定されることなく、その趣旨を逸脱しない範囲で種々の改良・変更が可能であることは勿論である。
【符号の説明】
【００３７】
１  易占い付手帳（易占い付冊本）
２  スケジュール欄
３  運勢表記部
４  境界線
１０  易占い付手帳（易占い付冊本）
１１  カレンダー部
１２  運勢表記部
【図１】
0003202311.tif 000003
【図２】
0003202311.tif 000004
【図３】
0003202311.tif 000005
【図４】
0003202311.tif 000006
【図５】
0003202311.tif 000007
【図６】
0003202311.tif 000008
【図７】
0003202311.tif 000009
【図８】
0003202311.tif 000010